(57)【要約】【課題】卓台に対して壺容器を簡単な操作で固定することができ、壺容器の安定性を向上させることにより、造花や生花に人が触れても簡単に倒れることのない卓壺型仏具を提供する。【解決手段】複数の脚体３を有する卓台４上に壺容器５を起立状に取り付けた卓壺型仏具であり、上記卓台４の上面と壺容器５の下端とに、内外に嵌まり合った状態で卓台４の上面に壺容器５を起立させる一対の嵌合筒７、８を設け、卓台４の嵌合筒７に上端部で開放して途中で周方向に屈曲する係止溝９を形成し、壺容器５の嵌合筒８に周方向への回動で係止溝９に対して係脱する係止突起１０が設けられている。【選択図】  図２
2004159957.tif 000002
【特許請求の範囲】
【請求項１】
複数の脚体を有する卓台と、この卓台上に取り付けて起立状に配置する壺容器との組み合わせからなり、上記卓台の上面と壺容器の下端とに、内外に嵌まり合った状態で卓台の上面に壺容器を起立させる一対の嵌合筒を設け、何れか一方の嵌合筒に端部で開放して途中で周方向に屈曲する係止溝を形成し、他方の嵌合筒に一方嵌合筒との嵌合と周方向への回動で係止溝に対して係脱する係止突起を設けた卓壺型仏具。
【請求項２】
上記卓台が、合成樹脂を用いて形成した天板とその下面に着脱可能に取り付ける複数の脚体とを有し、この脚体は、少なくとも先端側が帯板状となり、上記天板の下面に重ねる取り付け板部と、この取り付け板部の後端側下面に延設した脚片とで形成され、上記天板の下面で各脚体を取り付ける位置に、取り付け板部の先端側を差し込むための先端ホルダーと、取り付け板部の後端側を嵌め込むための保持壁とを設け、この保持壁と取り付け板部の後端部に、保持壁内に嵌め込んだ取り付け板部を係止する一対の係止手段を設けた請求項１に記載の卓壺型仏具。
【発明の詳細な説明】
【０００１】
【発明の属する技術分野】
この発明は、葬儀等の仏事をとり行うときに祭壇やその周辺に花を飾るために用いる卓壺型仏具に関する。
【０００２】
【従来の技術】
葬儀等の仏事をとり行うときに造花や生花を飾るため、従来より種々の花器を用いたり、装飾の方法に工夫を凝らしたものが提案されているが、卓上に設置した壺容器に造花や生花を生けることも多く採用されている。
【０００３】
従来、卓上に設置した壺容器に造花や生花を生ける方法は、複数の脚体を有する卓台の上に壺容器を載せて生けるようにしている。
【０００４】
【発明が解決しようとする課題】
ところで、上記のような造花や生花を生ける方法は、卓台と壺容器の固定がないため、壺容器の設置が極めて不安定であり、造花や生花に人が触れたような場合、簡単に倒れる事態が発生することになる。
【０００５】
また、壺容器の設置が極めて不安定なため、背の高い造花や生花を生けるのが困難であり、壺容器を大きくすると造花や生花を多くしないと見た目に貧相になり、不経済である。
【０００６】
そこで、この発明は、卓台に対して壺容器を簡単な操作で固定することができ、壺容器の安定性を向上させることにより、造花や生花に人が触れても簡単に倒れることがなく、比較的小さな壺容器を用いて背の高い造花や生花を生けることができ、しかも、使用しないときには、全体を嵩低くすることができる卓壺型仏具を提供することを課題としている。
【０００７】
【課題を解決するための手段】
上記のような課題を解決するため、この発明は、複数の脚体を有する卓台と、この卓台上に取り付けて起立状に配置する壺容器との組み合わせからなり、上記卓台の上面と壺容器の下端とに、内外に嵌まり合った状態で卓台の上面に壺容器を起立させる一対の嵌合筒を設け、何れか一方の嵌合筒に端部で開放して途中で周方向に屈曲する係止溝を形成し、他方の嵌合筒に一方嵌合筒との嵌合と周方向への回動で係止溝に対して係脱する係止突起を設けた構成を採用したものである。
【０００８】
また、上記卓台が、合成樹脂を用いて形成した天板とその下面に着脱可能に取り付ける複数の脚体とを有し、この脚体は、少なくとも先端側が帯板状となり、上記天板の下面に重ねる取り付け板部と、この取り付け板部の後端側下面に延設した脚片とで形成され、上記天板の下面で各脚体を取り付ける位置に、取り付け板部の先端側を差し込むための先端ホルダーと、取り付け板部の後端側を嵌め込むための保持壁とを設け、この保持壁と取り付け板部の後端部に、保持壁内に嵌め込んだ取り付け板部を係止する一対の係止手段を設けた構造とすることができる。
【０００９】
上記卓台と各脚体は合成樹脂を用い、天板は角形に形成して下面の四箇所に脚体を放射状の配置で取り付けるようになっており、天板に対して各脚体は、合成樹脂の弾性を利用して固定されることになる。
【００１０】
【発明の実施の形態】
以下、この発明の実施の形態を図示例と共に説明する。
【００１１】
図示のように、卓壺型仏具１は、天板２の下面に複数の脚体３を有する卓台４と、この卓台４上に取り付けて起立状に固定配置する壺容器５との組み合わせからなり、上記卓台４の上面と壺容器５の下端とに一対の固定手段６が設けられている。
【００１２】
この固定手段６は、卓台４の天板２上面に固定した円形の内側嵌合筒７と、この嵌合筒７に外嵌するよう壺容器５の下端に設けた円形の外側嵌合筒８からなり、卓台４の内側嵌合筒７にはその周壁に、上端部で開放して垂下して途中で周方向に屈曲するＬ字状の係止溝９が形成され、壺容器５の外側嵌合筒８には、卓台４の内側嵌合筒７に対する嵌合と周方向への回動で係止溝９に対して係脱する係止突起１０が設けられている。
【００１３】
上記係止溝９と係止突起１０は、内側及び外側の嵌合筒７、８の軸心を挟む両側にそれぞれ設けるようにすると共に、図示とは逆に、係止溝９を壺容器５の外側嵌合筒８に設け、係止突起１０を卓台４の内側嵌合筒７に設けた構造を採用してもよく、卓台４上に壺容器５を取り付けた状態で、壺容器５の下部に設けた底筒部１１が固定手段６を隠蔽するようになっている。
【００１４】
上記卓台４と各脚体３は合成樹脂を用い、天板２は角形で下面に周縁１２と十字状となる補強リブ１３とを有し、下面の四箇所に脚体３を放射状の配置で着脱自在に取り付けるようになっており、天板２に対して各脚体３は、合成樹脂の弾性を利用して固定される。
【００１５】
上記脚体３は、少なくとも先端側が帯板状となり、天板２の略中央部からコーナに達する程度の長さを有し、上記天板２の下面に重ねる取り付け板部１４と、この取り付け板部１４の後端側下面に弧状となって外方に突出するよう延設した脚片１５とで形成されている。
【００１６】
また、天板２の下面で各脚体３を取り付ける位置には、天板２の略中央部の位置に、取り付け板部１４の先端側を抜き差し可能に差し込むための先端ホルダー１６と、天板２のコーナ寄りの位置に、取り付け板部１４の後端側を嵌め込むための保持壁１７とが設けられている。
【００１７】
この保持壁１７は、対向する側板１８と端板１９で取り付け板部１４の後端側が嵌り込む平面コ字状に形成され、保持壁１７の端板１９と取り付け板部１４の後端部に、保持壁１７内に嵌め込んだ取り付け板部１４を係止する一対の係止手段２０が設けられている。
【００１８】
上記係止手段２０は、端板１９に設けた突起２１と取り付け板部１４の後端に設けた凹溝２２とで形成され、取り付け板部１４の先端側をホルダー１６に差し込んだ状態で、取り付け板部１４の後端側を保持壁１７内に押し込むと、凹溝２２が突起２１へ合成樹脂の弾性を利用して弾力的に係合し、天板２の下面に脚体３が固定されることになり、このようにして下面四箇所に取り付けた脚体３で天板２が水平に支持される。
【００１９】
この発明の卓壺型仏具１は、上記のような構成であり、天板２の下面で四箇所の位置に、ホルダー１６と保持壁１７に取り付け板部１４を嵌め込むことで、脚体３を取り付けて卓台４を組み立て、この卓台４を祭壇や床面等に設置した状態で、天板２の上面に固定した内側嵌合筒７の直上に壺容器５を臨ませ、壺容器５の下端に設けた外側嵌合筒８の係止突起１０と天板２の内側嵌合筒７に形成した係止溝９の上端開口との位置を合わせた状態で、壺容器５の外側嵌合筒８を天板２の内側嵌合筒７に外嵌すれば、壺容器５の下部に設けた底筒部１１が天板２上に載って起立する。
【００２０】
この状態で壺容器５を回動させると、係止突起１０が係止溝９の水平部に係合し、これにより、内側嵌合筒７と外側嵌合筒８が結合して卓台４に対して壺容器５は固定化され、図１のように、壺容器５に造花Ａや生花を生けるようにして仏事の装飾とすればよく、壺容器５は卓台４に対して固定化されているので、安定性が向上し、背の高い造花Ａや生花を生けることができ、花に人が接触しても倒れる恐れが少なくなる。
【００２１】
なお、造花Ａの場合は花の内部に光源を組み込んだ電飾構造を併用してもよく、図１のように、名札Ｂを卓台４上に設置したり花に取り付けるようにすることができる。
【００２２】
また、使用済になると、壺容器５から花を抜き取り、組み立て時とは逆の回動と抜き取り操作により、卓台４に対して壺容器５を取り外し、この後、卓台４は天板２の保持壁１７から取り付け板部１４を抜き取るようにして脚体３を取り外し、天板２と脚体３に分解すれば、再使用まで全体を嵩低く収納することができる。
【００２３】
【発明の効果】
以上のように、この発明によると、上述した構造とすることにより、複数の脚体を有する卓台の上に壺容器を起立させた状態で固定化することができ、卓台上での壺容器の安定性が向上し、壺容器を大きくしなくても背の高い造花や生花を生けることができ、花に人が接触しても倒れる恐れが少なくなる。
【００２４】
また、卓台に対する壺容器の固定が、嵌合筒を嵌合させて係止溝と係止突起を係合させるだけでよいので、壺容器の固定と取り外しが簡単な作業で行える。
【００２５】
さらに、卓台は、天板に対して脚体を着脱自在に取り付けるようにしたので、卓台の組み立てと分解が簡単に行え、使用しない時は全体を嵩低く収納することができる。
【図面の簡単な説明】
【図１】この発明に係る卓壺型仏具の使用状態を示す正面図
【図２】この発明に係る卓壺型仏具の分解斜視図
【図３】（Ａ）は卓台における天板の底面図、（Ｂ）は（Ａ）の矢印ｂ−ｂに沿う天板への脚体の取り付け部分を示す縦断正面図
【図４】卓台における天板への脚体の取り付け構造を示す分解斜視図
【符号の説明】
１    卓壺型仏具
２    天板
３    脚体
４    卓台
５    壺容器
６    固定手段
７    嵌合筒
８    嵌合筒
９    係止溝
１０  係止突起
１１  底筒部
１２  周縁
１３  補強リブ
１４  取り付け板部
１５  脚片
１６  ホルダー
１７  保持壁
１８  側板
１９  端板
２０  係止手段
２１  突起
２２  凹溝
【図１】
2004159957.tif 000003
【図２】
2004159957.tif 000004
【図３】
2004159957.tif 000005
【図４】
2004159957.tif 000006